(57)【要約】      （修正有）【課題】操作性を向上できる制御装置及び電動家具を提供する。【解決手段】制御装置は、例えば、電動家具のリモートコントローラ（リモコン）であり、制御装置は、例えば、手元スイッチである。この例では、電動家具は、電動ベッドである。制御装置は、第１操作ボタン及び第２操作ボタンを含む。前記第１操作ボタンは、電動家具の可動部の上昇及び下降の一方の第１制御操作を受け付け可能である。前記第２操作ボタンは、前記第１制御操作を受け付け可能である。【選択図】図１
2018183541.tif 000002
【特許請求の範囲】
【請求項１】
電動家具の可動部の上昇及び下降の一方の第１制御操作を受け付け可能な第１操作ボタンと、
前記第１制御操作を受け付け可能な第２操作ボタンと、
を備えた制御装置。
【請求項２】
前記第１操作ボタン及び前記第２操作ボタンが設けられた操作面を含む操作部を備え、
前記第１操作ボタンは、前記第２操作ボタンと前記操作面上で並ぶ、請求項１記載の制御装置。
【請求項３】
前記操作面は、
前記第１操作ボタンが設けられた第１領域と、
前記第２操作ボタンが設けられた第２領域と、
を含み、
前記第１領域は、
前記第２領域の色とは異なる色、
前記第２領域の表面凹凸とは異なる表面凹凸、及び、
前記第２領域の材料とは異なる材料、
の少なくともいずれかを有した請求項２記載の制御装置。
【請求項４】
前記第１操作ボタンが設けられた第１部材と、
前記第２操作ボタンが設けられた第２部材と、
をさらに備え、
前記第１部材は、前記第２操作ボタンの少なくとも一部と重なる第１状態と、前記第２操作ボタンと重ならない第２状態と、を有する、請求項１記載の制御装置。
【請求項５】
前記第１部材は、
前記第２部材の色とは異なる色、
前記第２部材の表面凹凸とは異なる表面凹凸、及び、
前記第２部材の材料とは異なる材料、
の少なくともいずれかを有した請求項４記載の制御装置。
【請求項６】
前記第１操作ボタンは、
前記第２操作ボタンの大きさとは異なる大きさ、
前記第２操作ボタンの形とは異なる形、及び、
前記第２操作ボタンの色とは異なる色、
の少なくともいずれかを有した、請求項１〜５のいずれか１つに記載の制御装置。
【請求項７】
第３操作ボタンと第４操作ボタンとをさらに備え、
前記第３操作ボタンは、前記可動部の上昇及び下降の他方の第２制御操作を受け付け可能であり、
前記第４操作ボタンは、前記第２制御操作を受け付け可能である、請求項１〜６のいずれか１つに記載の制御装置。
【請求項８】
電動家具の可動部の制御操作を受け付け可能な複数の操作ボタンを含む操作部と、
前記複数の操作ボタンの一部と重なり前記複数の操作ボタンの他の一部と重ならない状態と、前記複数の操作ボタンの前記一部と重ならず前記複数の操作ボタンの前記他の一部とも重ならない状態と、を有するカバー部材と、
を備えた制御装置。
【請求項９】
前記カバー部材は、前記操作部に対して回転可能、前記操作部に対して相対的にスライド移動可能、または、前記操作部に対して着脱可能である、請求項８記載の制御装置。
【請求項１０】
前記可動部は、背ボトム、膝ボトム、脚ボトム及び高さ変更部の少なくとも１つを含み、
前記可動部の上昇及び下降の前記一方は、前記背ボトムの上昇及び下降の一方、前記膝ボトムの上昇及び下降の一方、前記脚ボトムの上昇及び下降の一方、並びに、高さ変更部上昇及び下降の一方の少なくとも１つを含む、請求項１〜９のいずれか１つに記載の制御装置。
【請求項１１】
電動家具の複数の可動部の１つの第１制御操作を受け付け可能な操作ボタンと、
前記複数の可動部の別の１つと、前記複数の可動部の前記１つと、の記憶された第２制御操作を受付可能な別の操作ボタンと、
を備えた制御装置。
【請求項１２】
請求項１〜１１のいずれか１つに記載の制御装置と、
前記可動部と、
を備えた電動家具。
【発明の詳細な説明】
【技術分野】
【０００１】
本発明の実施形態は、制御装置及び電動家具に関する。
【背景技術】
【０００２】
例えば、高さや背もたれの角度を変更可能な電動家具（例えば、電動ベッドまたは電動椅子など）がある。これらの電動家具は、手元スイッチなどの制御装置（例えばリモートコントローラ：リモコン）により操作される。このような制御装置において、操作性の向上が望まれる。
【先行技術文献】
【特許文献】
【０００３】
【特許文献１】特許第５６４００２３号公報
【発明の概要】
【発明が解決しようとする課題】
【０００４】
本発明の実施形態は、操作性を向上できる制御装置及び電動家具を提供する。
【課題を解決するための手段】
【０００５】
実施形態によれば、制御装置は、第１操作ボタン及び第２操作ボタンを含む。前記第１操作ボタンは、電動家具の可動部の上昇及び下降の一方の第１制御操作を受け付け可能である。前記第２操作ボタンは、前記第１制御操作を受け付け可能である。  
別の実施形態によれば、制御装置は、操作部及びカバー部材を含む。前記操作部は、電動家具の可動部の制御操作を受け付け可能な複数の操作ボタンを含む。前記カバー部材は、前記複数の操作ボタンの一部と重なり前記複数の操作ボタンの他の一部と重ならない状態と、前記複数の操作ボタンの前記一部と重ならず前記複数の操作ボタンの前記他の一部とも重ならない状態と、を有する。  
別の実施形態によれば、制御装置は、電動家具の複数の可動部の１つの第１制御操作を受け付け可能な操作ボタンと、前記複数の可動部の別の１つと、前記複数の可動部の前記１つと、の記憶された第２制御操作を受付可能な別の操作ボタンと、を含む。  
別の実施形態によれば、上記のいずれか１つの制御装置と、前記可動部と、を含む電動家具が提供される。
【発明の効果】
【０００６】
本発明の実施形態は、操作性を向上できる制御装置及び電動家具を提供できる。
【図面の簡単な説明】
【０００７】
【図１】図１（ａ）及び図１（ｂ）は、第１実施形態に係る制御装置及び電動家具を例示する模式図である。
【図２】図２（ａ）及び図２（ｂ）は、第１実施形態に係る制御装置を例示する模式的斜視図である。
【図３】図３（ａ）及び図３（ｂ）は、第１実施形態に係る別の制御装置を例示する模式的平面図である。
【図４】図４（ａ）及び図４（ｂ）は、第１実施形態に係る別の制御装置を例示する模式的平面図である。
【図５】図５（ａ）〜図５（ｃ）は、第２実施形態に係る制御装置を例示する模式図である。
【図６】第３実施形態に係る制御装置を例示する模式図である。
【図７】実施形態に係る制御装置を含む別の電動家具を例示する模式的斜視図である。
【発明を実施するための形態】
【０００８】
以下に、本発明の実施形態について図面を参照しつつ説明する。  
図面は模式的または概念的なものであり、各部分の厚さと幅との関係、部分間の大きさの比率などは、必ずしも現実のものと同一とは限らない。同じ部分を表す場合であっても、図面により互いの寸法や比率が異なって表される場合もある。  
本願明細書と各図において、既出の図に関して前述したものと同様の要素には同一の符号を付して詳細な説明は適宜省略する。
【０００９】
（第１実施形態）  
図１（ａ）及び図１（ｂ）は、第１実施形態に係る制御装置及び電動家具を例示する模式図である。  
図１（ａ）は、斜視図である。図１（ｂ）は、平面図である。  
図２（ａ）及び図２（ｂ）は、第１実施形態に係る制御装置を例示する模式的斜視図である。
【００１０】
図１（ａ）に示すように、第１実施形態に係る制御装置１３０は、電動家具３１０と共に用いられる。制御装置１３０は、電動家具３１０の可動部７０を制御することができる。制御装置１３０は、例えば、電動家具３１０のリモートコントローラ（リモコン）である。制御装置１３０は、例えば、手元スイッチである。制御装置１３０は、照明の入り切り機能、看護者または介護者の呼び出し機能、または、電源の入り切り機能などの種々の機能を有しても良い。
【００１１】
電動家具３１０は、例えば、病院、介護施設、または、家庭などで使用される。
【００１２】
この例では、電動家具３１０は、電動ベッドである。電動ベッドは、可動部７０を有する。可動部７０は、例えば、背ボトム７０ａ、膝ボトム７０ｂ、脚ボトム７０ｃ及び高さ変更部７０ｄなどを含む。背ボトム７０ａ、膝ボトム７０ｂ及び脚ボトム７０ｃにおいて、互いの角度は変更可能である。背ボトム７０ａの動作により、身体の上体の角度が変更可能である。背ボトム７０ａと膝ボトム７０ｂとの間の角度の変更により、例えば、腰の角度が変更可能である。膝ボトム７０ｂと脚ボトム７０ｃとの間の角度の変更により、膝の角度が変更可能である。これらの角度は、連動して変化しても良い。高さ変更部７０ｄは、例えば、床面とベッド面との間の距離（高さ）を変更可能である。これらの可動部７０には、例えばアクチュエータなどが用いられる。可動部７０の動作により、「背上げ」、「膝上げ」及び「高さ調整」などの少なくともいずれかが可能である。
【００１３】
制御装置１３０は、上記の可動部７０と電気的に接続される。制御装置１３０と可動部７０との間に、制御回路が設けられても良い。このように、間に他の回路が設けられる場合も、電気的に接続される状態に含まれる。
【００１４】
図１（ａ）に示すように、制御装置１３０は、ケーブル１５により、電動家具３１０と接続される。制御装置１３０は、無線通信により、電動家具３１０と接続されても良い。制御装置１３０は、操作部１０を含む。
【００１５】
図２（ａ）に示すように、制御装置１３０（操作部１０）は、第１面１０ａ及び第２面１０ｂを有する。第２面１０ｂは、第１面１０ａと反対側の面である。第１面１０ａは、例えば、表側の面である。第２面１０ｂは、例えば、裏面である。第１面１０ａは、例えば、操作面である。
【００１６】
第１面１０ａに、複数の操作ボタン（操作ボタン２０及び操作ボタン２６など）が設けられる。一方、図２（ｂ）に示すように、第２面１０ｂに、スイッチ５０が設けられても良い。スイッチ５０は、例えば、任意の機能を有することができる。スイッチ５０は、例えば、制御装置１３０のオン／オフなどのスイッチとして機能しても良い。
【００１７】
図１（ｂ）及び図２（ａ）に示すように、第１面１０ａに表示領域２８が設けられても良い。表示領域２８は、例えば、電動家具３１０の可動部７０に関する情報（ボトムの角度や高さなど）を表示可能である。表示領域２８は、複数の操作ボタン２０の機能または動作状態に関する情報を表示しても良い。
【００１８】
図１（ｂ）及び図２（ａ）に示すように、制御装置１３０（操作部１０）は、操作ボタン２０及び操作ボタン２６を含む。操作ボタン２６は、例えば、電動家具３１０（例えば電動ベッドなど）の使用者（例えば被介護者）が操作するのに適している。操作ボタン２０は、例えば、介護者が操作するのに適している。介護者は、使用者の介護を行う。
【００１９】
例えば、複数の操作ボタン２０が設けられる。複数の操作ボタン２０により、電動家具３１０の複数の可動部７０を個別に制御できる。複数の操作ボタン２０による可動部７０の動作の種類は複数である。
【００２０】
一方、操作ボタン２６の機能はシンプルである。操作ボタン２６の数は、操作ボタン２０の数よりも少ない。
【００２１】
以下、操作ボタン２０の例について説明する。図１（ｂ）に示すように、複数の操作ボタン２０は、「連動」に関する上昇のボタン２１ａ、「連動」に関する下降のボタン２１ｂ、「頭」に関する上昇のボタン２２ａ、「頭」に関する下降のボタン２２ｂ、「足」に関する上昇のボタン２３ａ、「足」に関する下降のボタン２３ｂ、「高さ」に関する上昇降のボタン２４ａ、及び、「高さ」に関する下降のボタン２４ｂなどを含む。
【００２２】
例えば、「頭」に関する上昇のボタン２２ａが押されると、背ボトム７０ａの角度が大きくなる。例えば、「頭」に関する下降のボタン２２ｂが押されると、背ボトム７０ａの角度が小さくなる。例えば、「足」に関する上昇のボタン２３ａが押されると、膝ボトム７０ｂ及び脚ボトム７０ｃの角度が大きくなる。例えば、「足」に関する下降のボタン２３ｂが押されると、膝ボトム７０ｂ及び脚ボトム７０ｃの角度が小さくなる。これらの角度は、例えば、水平面からの角度である。例えば、「高さ」に関する上昇のボタン２４ａが押されると、ベッド面が高くなる。例えば、「高さ」に関する下降のボタン２４ｂが押されると、ベッド面が低くなる。例えば、「連動」に関する上昇のボタン２１ａが押されると、「頭」及び「足」が連動して変化する。例えば、「連動」に関する下降のボタン２１ｂが押されると、「頭」及び「足」が連動して変化する。これらの変化は、可動部７０の動作により行われる。例えば、操作ボタンを押し続けている期間に、上記の動作が行われる。これにより、安全な動作が得られる。
【００２３】
一方、例えば、操作ボタン２６により、上記の操作ボタン２０（ボタン２２ａ〜２４ｂ）のいずれかの制御動作が可能である。操作ボタン２６は、例えば、ボタン２６ａ及び２６ｂを含む。ボタン２６ａの機能は、例えば、ボタン２１ａの機能と同じである。ボタン２６ｂの機能はボタン２１ｂの機能と同じである。
【００２４】
このように、実施形態においては、同じ機能を有する複数のボタンが設けられる。制御装置１３０は、第１操作ボタン（例えば、ボタン２６ａ）及び第２操作ボタン（例えば、ボタン２１ａ）を含む。第１操作ボタンは、電動家具３１０の可動部７０の上昇及び下降の一方の第１制御操作を受け付け可能である。この例では、第１操作ボタン（ボタン２６ａ）が押されることで、「頭」及び「足」が連動して変化する。そして、第２操作ボタン（ボタン２１ａ）を押したときも、「頭」及び「足」が連動して変化する。
【００２５】
このように、同じ機能を有する複数のボタンが設けられる。電動家具３１０の使用者は、第１操作ボタン（ボタン２６ａ）を押すことを意識し、第２操作ボタン（ボタン２１ａ）を押すことを意識しないで良い。このため、使用者が制御装置１３０を誤って操作することが抑制される。使用者において、制御装置１３０の制御性が向上する。一方、介護者においては、第２操作ボタン（ボタン２１ａ）を含む複数の操作ボタン２０（ボタン２１ａ〜２４ｂ）を操作できる。これにより、介護者は、電動家具３１０の複数の可動部７０を個別に細かく制御できる。
【００２６】
電動家具３１０の使用者にとって複雑な操作ボタンは、煩雑であり、誤動作が生じ易い。一方、介護者においては、電動家具３１０の可動部７０を細かく所望の状態に制御したいと望む。使用者が望む制御と、介護者が望む制御と、が互いに異なっている。使用者は、シンプルな制御を望む。介護者は、シンプルさではなく、所望の状態を得るための高度な制御を望む。
【００２７】
このような事情において、使用者用の制御装置と、介護者用の制御装置と、を別に設ける参考例が考えられる。すなわち、この参考例では２つのリモートコントローラが設けられる。しかし、この場合は、制御装置（リモートコントローラ）の数が増え、無駄である。価格の上昇に繋がる。
【００２８】
本実施形態においては、１つの制御装置１３０に、同じ機能を有する複数の操作ボタンを設ける。これにより、たとえば、使用者は、第１制御ボタン（例えば、ボタン２６ａ）を操作する。このとき、使用者は、第２操作ボタン（例えば、ボタン２１ａ）などを含む複数の操作ボタン２０を気にしなくて良い。一方、介護者は、第２操作ボタン（例えば，ボタン２１ａ）などを含む複数の操作ボタン２０を使うことで、所望の状態を設定できる。同じ機能を有する複数の操作ボタンを１つの制御装置１３０に設けるという特殊な構成は、使用者が望む制御と介護者が望む制御とが互いに異なっているという認識の基で創出されたものである。
【００２９】
上記のような第１操作ボタン（例えば、ボタン２６ａ）及び第２操作ボタン（例えば、ボタン２１ａ）を設ける場合、以下のような第３操作ボタン（例えば、ボタン２６ｂ）及び第４操作ボタン（例えば、ボタン２１ｂ）をさらに設けることが好ましい。
【００３０】
第１操作ボタン及び第３操作ボタンは、１つの対となる。第２操作ボタン及び第４操作ボタンは、別の１つの対となる。
【００３１】
既に説明したように、第１操作ボタン（例えば、ボタン２６ａ）は、電動家具３１０の可動部７０の上昇及び下降の一方の第１制御操作を受け付け可能である。第２操作ボタン（例えば、ボタン２１ａ）も、この第１制御操作を受け付け可能である。例えば、第１制御操作は、「連動」に関する上昇である。
【００３２】
一方、第３操作ボタン（例えば、ボタン２６ｂ）は、可動部７０の上昇及び下降の他方の第２制御操作を受け付け可能である。第４操作ボタン（例えば、ボタン２１ｂ）も、この第２制御操作を受け付け可能である。例えば、第２制御操作は、「連動」に関する下降である。
【００３３】
このように、可動部の１つの機能について、上昇または下降の２つの制御操作（対となる制御操作）がある。このとき、２つの制御操作のそれぞれに対応して複数のボタンが設けられる。第１制御ボタン及び第３制御ボタンを電動家具３１０の使用者が操作するときにおいて、シンプルな制御が可能である。第２制御ボタン及び第４制御ボタンを介護者が操作するときにおいて、所望の状態を得るための高度な制御が可能である。使用者及び介護者の両方において、良好な操作性が得られる。
【００３４】
上記の例では、第１操作ボタン及び第２操作ボタンは、「連動」に関するボタンである。これらのボタンは、他の制御動作に関しても良い。例えば、第１操作ボタン及び第２操作ボタンは、「頭」、「足」または「高さ」に関しても良い。第１操作ボタン及び第２操作ボタンは、複数の可動部７０の制御の任意の１つに関する。
【００３５】
図１（ｂ）に示すように、制御装置１３０においては、操作部１０は、操作面（第１面１０ａ）を含む。この操作面（第１面１０ａ）に、第１操作ボタン（例えば、ボタン２６ａ）及び第２操作ボタン（例えば、ボタン２１ａ）が設けられる。第１操作ボタンは、第２操作ボタンと、この操作面（第１面１０ａ）上で並ぶ。同様に、操作面（第１面１０ａ）に、第３操作ボタン（例えば、ボタン２６ｂ）及び第４操作ボタン（例えば、ボタン２１ｂ）が設けられる。第３操作ボタンは、第４操作ボタンと、この操作面（第１面１０ａ）上で並ぶ。このように、使用者用の操作ボタン２６が、介護者用の操作ボタン２０と同じ面上（同じ面内）にあっても良い。後述するように、使用者用の操作ボタン２６が、介護者用の操作ボタン２０とは異なる面上にあっても良い。
【００３６】
使用者用の操作ボタン２６が、介護者用の操作ボタン２０と同じ面上にある場合に、これらをより識別し易くすることか好ましい。以下のような構成を適用することで、例えば、識別性が向上できる。
【００３７】
図１（ｂ）に示すように、操作面（第１面１０ａ）は、第１領域１０ａｐと、第２領域１０ａｑと、を含む。第１領域１０ａｐにおいて、第１操作ボタン（例えば、ボタン２６ａ）が設けられる。第２領域１０ａｑにおいて、第２操作ボタン（例えば、ボタン２１ａなど）が設けられる。後述するように、これらの領域において、色、表面凹凸、または、材料が互いに異なっても良い。
【００３８】
図３（ａ）及び図３（ｂ）は、第１実施形態に係る別の制御装置を例示する模式的平面図である。  
図３（ａ）に示すように、制御装置１３０ａにおいては、第１操作ボタン（例えば、ボタン２６ａ）の大きさは、第２操作ボタン（例えば、ボタン２１ａ）の大きさとは異なる。第３操作ボタン（例えば、ボタン２６ｂ）の大きさは、第４操作ボタン（例えば、ボタン２１ｂ）の大きさとは異なる。第１操作ボタンは、第２操作ボタンよりも大きい。第３操作ボタンは、第４操作ボタンよりも大きい。これにより、第１操作ボタン及び第３操作ボタンは、第２操作ボタン及び第４操作ボタンと比べて、見易い。操作が容易になる。これにより、例えば、使用者において、良好な操作性が得られる。一方、介護者用の操作ボタン２０においては、サイズが小さい。このため、所定の面積の操作面（第１面１０ａ）内に、多くの操作ボタンを設けることができる。複雑で高度な制御が可能になる。
【００３９】
図３（ｂ）に示すように、制御装置１３０ｂにおいては、第１操作ボタン（例えば、ボタン２６ａ）の形は、第２操作ボタン（例えば、ボタン２１ａ）の形とは異なる。第３操作ボタン（例えば、ボタン２６ｂ）の形は、第４操作ボタン（例えば、ボタン２１ｂ）の形とは異なる。例えば、第１操作ボタン及び第３操作ボタンにおいて、より感覚的に把握し易い形が適用される。より良好な操作性が得られる。
【００４０】
この他、使用者用の操作ボタン２６の色などを、介護者用の操作ボタン２０の色とは変えても良い。これにより、操作ボタン２６と操作ボタン２０とをより区別し易くできる。
【００４１】
このように、例えば、第１操作ボタン（例えば、ボタン２６ａ）は、第２操作ボタン（例えば、ボタン２１ａ）の大きさとは異なる大きさ、第２操作ボタンの形とは異なる形、及び、第２操作ボタンの色とは異なる色、の少なくともいずれかを有しても良い。
【００４２】
実施形態において、操作面（第１面１０ａ）に、第１領域１０ａｐ及び第２領域１０ａｑが設けられる。例えば、第１領域１０ａｐは、第２領域１０ａｑの色とは異なる色、第２領域１０ａｑの表面凹凸とは異なる表面凹凸、及び、第２領域１０ａｑの材料とは異なる材料、の少なくともいずれかを有しても良い。これにより、例えば、第１操作ボタンと第２操作ボタンとの区別がより分かりやすくなる。例えば、操作ボタン２６と操作ボタン２０とをより区別し易くできる。
【００４３】
図４（ａ）及び図４（ｂ）は、第１実施形態に係る別の制御装置を例示する模式的平面図である。  
これらの図は、制御装置１３１における２つの状態を示している。  
制御装置１３１は、第１部材１１及び第２部材１２を含む。第１部材１１には、第１操作ボタン（例えば、ボタン２６ａ）及び第３操作ボタン（例えば、ボタン２６ｂ）を含む操作ボタン２６が設けられる。第２部材１２には、第２操作ボタン（例えば、ボタン２１ａ）及び第４操作ボタン（例えば、ボタン２１ｂ）を含む操作ボタン２０が設けられる。
【００４４】
第１部材１１は、図４（ａ）に示す第１状態、及び、図４（ｂ）に示す第２状態を有する。第１状態において、第１部材１１は、第２操作ボタン（例えば、ボタン２１ａ）の少なくとも一部と重なる。第２状態において、第１部材１１は、第２操作ボタン（例えば、ボタン２１ａ）と重ならない。
【００４５】
第１部材１１は、例えば、蓋状である。第１状態において、第１部材１１は、介護者用の操作ボタン２０を覆う。第２状態において、介護者用の操作ボタン２０は、第１部材１１に覆われない。
【００４６】
第１状態において、使用者は、第１部材１１に設けられた第１操作ボタン（例えば、ボタン２６ａ）及び第３操作ボタン（例えば、ボタン２６ｂ）を操作する。このとき、介護者用の操作ボタン２０は、第１部材１１により隠されている。このため、使用者は、どのボタンを押せば良いかが簡単に分かる。一方、第２状態において、介護者は、第１部材１１を第２部材１２の上から移動させ、第１部材１２に設けられた第２操作ボタン（例えば、ボタン２１ａ）などを含む操作ボタン２０を操作できる。これにより、複雑で高度な制御ができる。
【００４７】
制御装置１３１においても、制御性の高い制御装置が得られる。
【００４８】
図４（ａ）及び図４（ｂ）に示した例では、第１部材１１は、第２部材１２に対して相対的に回転することで、上記の２つの状態が形成可能である。第１部材１１は、第２部材１２に対して相対的にスライドすることで、上記の２つの状態が形成可能でも良い。このように、例えば、第１部材１１は、第２部材１２に対して、回転可能、または、スライド可能でも良い。
【００４９】
実施形態において、第１部材１１と第２部材１２との間において、色、表面凹凸、または、材料が互いに異なっても良い。例えば、第１部材１１は、第２部材１２の色とは異なる色、第２部材１２の表面凹凸とは異なる表面凹凸、及び、第２部材１２の材料とは異なる材料、の少なくともいずれかを有しても良い。これにより、例えば、第１操作ボタンと第２操作ボタンとの区別がより分かりやすくなる。例えば、操作ボタン２６と操作ボタン２０とをより区別し易くできる。
【００５０】
（第２実施形態）  
図５（ａ）〜図５（ｃ）は、第２実施形態に係る制御装置を例示する模式図である。  
図５（ａ）は、斜視図である。図５（ｂ）及び図５（ｃ）は、異なる２つの状態を例示する平面図である。
【００５１】
第２実施形態に係る制御装置１３２も、図１（ａ）に関して説明した電動家具３１０と共に用いられる。制御装置１３２は、電動家具３１０に設けられる可動部７０を制御する。制御装置１３２は、例えば、手元スイッチである。
【００５２】
図５（ａ）に示すように、制御装置１３２は、複数の操作ボタン２０及びカバー部材１８を含む。複数の操作ボタン２０は、電動家具３１０の可動部７０の制御操作を受け付け可能である。この例では、複数の操作ボタン２０は、既に説明したボタン２１ａ〜２４ｂなどを含む。
【００５３】
カバー部材１８は、少なくとも２つの状態（第１状態及び第２状態）を有する。
【００５４】
図５（ｃ）に示すように、第１状態においては、カバー部材１８は、複数の操作ボタン２０の一部と重なり、複数の操作ボタン２０の他の一部と重ならない。この例では、カバー部材１８は、ボタン２２ａ〜２４ｂと重なり、ボタン２１ａ及び２１ｂと重ならない。
【００５５】
図５（ｂ）に示すように、第２状態においては、カバー部材１８は、複数の操作ボタン２０の上記の一部と重ならず、複数の操作ボタン２０の上記の他の一部とも重ならない。第２状態においては、例えば、複数の操作ボタン２０は、カバー部材１８に覆われない。
【００５６】
例えば、電動家具３１０の使用者は、図５（ｃ）に示す第１状態において、制御装置１３２を使用する。第１状態においては、使用者が操作するボタン（ボタン２１ａ及びボタン２１ｂ）だけが露出している。使用者が操作しないボタン（ボタン２２ａ〜２４ｂ）は、カバー部材１８に覆われている。使用者は、操作しないボタンを見ない。使用者は、どのボタンを押すかが分かりやすい。
【００５７】
一方、介護者は、図５（ｂ）に示す第２状態において、制御装置１３２を操作する。第２状態においては、例えば、複数の操作ボタン２０の全てが見える。これにより、電動家具３１０を所望の状態に制御できる。複雑で高度な制御が実施できる。
【００５８】
制御装置１３２により、使用者と介護者との両方において、良好な操作性が提供できる。
【００５９】
図５（ａ）〜図５（ｃ）に示した例では、カバー部材１８は、回転扉型である。これにより、上記の第１状態及び第２状態を形成する。本実施形態において、カバー部材１８は、スライド型でも良い。この場合も、第１状態及び第２状態が形成できる。
【００６０】
このように、カバー部材１８は、操作部１０に対して回転可能でも良い。カバー部材１８は、操作部１０に対して相対的にスライド移動しても良い。相対的なスライド移動の方向は、例えば、操作部１０の長手方向（表示の上下方向）である。カバー部材１８は、操作部１０に対して着脱可能でも良い。カバー部材１８の着脱により、上記の第１状態及び第２状態が形成可能でも良い。
【００６１】
（第３実施形態）  
図６は、第３実施形態に係る制御装置を例示する模式図である。  
図６に示すように、本実施形態に係る制御装置１３３は、操作ボタン（この例では、操作ボタン２０）及び、別の操作ボタン（この例では、操作ボタン２６）を含む。操作ボタン２６は、例えば、ボタン２６ａ及びボタン２６ｂの少なくともいずれかを含む。操作ボタン２０は、ボタン２２ａ〜２４ｂの少なくともいずれかを含む。
【００６２】
既に説明したように、電動家具３１０（例えば電動ベッドなど）において、複数の可動部７０が設けられる。複数の可動部７０は、例えば、背ボトム７０ａ、膝ボトム７０ｂ、脚ボトム７０ｃ及び高さ変更部７０ｄなどを含む。
【００６３】
本実施形態において、操作ボタン２０は、電動家具３１０の複数の可動部７０の１つの第１制御操作を受け付け可能である。例えば、操作ボタン２０の１つであるボタン２２ａは、「頭」に関する上昇の制御操作を受け付ける。
【００６４】
一方、別の操作ボタン（操作ボタン２６）は、複数の可動部７０の別の１つと、複数の可動部７０の上記の１つと、の第２制御操作を受付可能である。複数の可動部７０の別の１つは、例えば、「足」の制御である。複数の可動部７０の上記の１つは、「頭」の制御である。このような第２制御操作により得られる可動部７０の状態は、記憶されている。すなわち、別の操作ボタン（操作ボタン２６）を操作することで、複数の可動部７０の少なくとも２つが、記憶された状態になる。  
本実施形態によっても、操作性を向上できる制御装置が提供できる。第２制御操作により得られる可動部７０の状態は、例えば、制御装置１３３及び電動家具３１０の少なくともいずれかに設けられる任意の記憶部に記憶されても良い。
【００６５】
図７は、実施形態に係る制御装置を含む別の電動家具を例示する模式的斜視図である。  図７に示すように、電動家具３１１は、電動椅子である。電動家具３１１は、可動部７０を含む。可動部７０は、例えば、背もたれ部７０ｅ及び座面部７０ｆを含む。実施形態に係る制御装置１３０（または１３０ａ、１３０ｂ、１３１または１３２など）により、これらの可動部７０が制御される。電動家具３１１においても、操作性を向上できる電動家具が提供できる。
【００６６】
実施形態によれば、操作性を向上できる制御装置及び電動家具が提供できる。
【００６７】
以上、具体例を参照しつつ、本発明の実施の形態について説明した。しかし、本発明は、これらの具体例に限定されるものではない。例えば、制御装置に含まれる操作ボタン、操作部、第１部材、第２部材及びカバー部材などの各要素の具体的な構成に関しては、当業者が公知の範囲から適宜選択することにより本発明を同様に実施し、同様の効果を得ることができる限り、本発明の範囲に包含される。
【００６８】
各具体例のいずれか２つ以上の要素を技術的に可能な範囲で組み合わせたものも、本発明の要旨を包含する限り本発明の範囲に含まれる。
【００６９】
その他、本発明の実施形態として上述した制御装置及び電動家具を基にして、当業者が適宜設計変更して実施し得る全ての制御装置及び電動家具も、本発明の要旨を包含する限り、本発明の範囲に属する。
【００７０】
その他、本発明の思想の範疇において、当業者であれば、各種の変更例及び修正例に想到し得るものであり、それら変更例及び修正例についても本発明の範囲に属するものと了解される。
【符号の説明】
【００７１】
１０…操作部、  １０ａ…第１面（操作面）、  １０ａｐ、１０ａｑ…第１、第２領域、  １０ｂ…第２面、  １１…第１部材、  １２…第２部材、  １５…ケーブル、  １８…カバー部材、  ２０…操作ボタン、  ２１ａ…ボタン（第２操作ボタン）、  ２１ｂ…ボタン（第４操作ボタン）、  ２２ａ〜２４ｂ…ボタン、  ２６…操作ボタン、  ２６ａ…ボタン（第１操作ボタン）、  ２６ｂ…ボタン（第３操作ボタン）、  ５０…スイッチ、  ２８…表示領域、  ７０…可動部、  ７０ａ…背ボトム、  ７０ｂ…膝ボトム、  ７０ｃ…脚ボトム、  ７０ｄ…高さ変更部、  ７０ｅ…背もたれ部、  ７０ｆ…座面部、  １３０、１３０ａ、１３０ｂ、１３１、１３２、１３３…制御装置、  ３１０、３１１…電動家具
【図１】
2018183541.tif 000003
【図２】
2018183541.tif 000004
【図３】
2018183541.tif 000005
【図４】
2018183541.tif 000006
【図５】
2018183541.tif 000007
【図６】
2018183541.tif 000008
【図７】
2018183541.tif 000009